【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
基板と前記基板上に設置される要素の間の付着界面を封止するための封止剤モールド固定具であって、
前記付着界面に外接するサイズ及び形状を有する外側リムで終端する下向きに角度が付いた張り出し部分に下端部で結合された外側スカートを有するとともに、該外側スカートによって保持される、前記要素の滑り嵌合受け入れに対応するサイズ及び形状を有する内側キャップをさらに含む封止剤モールドと、
前記内側キャップと前記外側スカートの間の空間を部分的に満たす未硬化形態の一定量の硬化性封止剤と、
を含み、
前記封止剤モールドの外側リムは、前記基板上の前記付着界面に外接する位置に実質的に着座可能であり、これにより前記基板と前記要素の間を封止するように前記封止剤が塗布されている
ことを特徴とする封止剤モールド固定具。
【請求項２】
前記封止剤モールドは、前記硬化した封止剤への恒久的な付着を避けるようにプラスチックベースの材料で形成される、
ことを特徴とする請求項１に記載の封止剤モールド固定具。
【請求項３】
前記封止剤モールドの外側スカートは、前記基板と前記要素の間を封止すべく前記封止剤を送達するように、前記封止剤モールドの外側リムが前記基板上に着座した後に、前記内側キャップに対して前記基板の方向に摺動自在に移動可能である、
ことを特徴とする請求項１に記載の封止剤モールド固定具。
【請求項４】
前記内側キャップは、前記外側スカートと協働して該内側キャップと該外側スカートの間に前記一定量の前記封止剤を受け入れるためのチャンバを定め、該チャンバは、内部に複数の通路を形成された壁により定められる下端部と、前記封止剤が前記チャンバ内に受け入れられた後に前記チャンバの上端部内に受け入れられるプランジャとを有し、該プランジャは、前記封止剤モールドの外側リムが前記基板上に着座した後に、前記基板と前記要素の間を封止すべく前記封止剤を送達するように前記基板に向かって移動可能である、
ことを特徴とする請求項１に記載の封止剤モールド固定具。
【請求項５】
前記封止剤モールドは、前記封止剤の硬化後に該封止剤から持ち上げ分離される、
ことを特徴とする請求項１に記載の封止剤モールド固定具。
【請求項６】
前記封止剤モールドの内側キャップは、内部に比較的小さな開いたポートが形成されるとともに、前記封止剤の硬化後に該封止剤から前記封止剤モールドを持ち上げ分離するための、前記ポートに選択的に結合された圧縮ガス手段をさらに含む、
ことを特徴とする請求項５に記載の封止剤モールド固定具。
【請求項７】
基板とドーム形キャップの間の付着界面を封止するための封止剤モールド固定具であって、
前記付着界面に外接するサイズ及び形状を有する外側リムで終端する下向きに角度が付いた張り出し部分に下端部で結合された外側スカートを有するとともに、該外側スカートによって保持される、前記ドーム形キャップの滑り嵌合受け入れに対応するサイズ及び形状を有する内側キャップをさらに含む封止剤モールドと、
前記内側キャップと前記外側スカートの間の空間を部分的に満たす未硬化形態の一定量の硬化性封止剤と、
を含み、
前記封止剤モールドの外側リムは、前記基板上の前記付着界面に外接する位置に実質的に着座可能であり、
前記封止剤モールドの外側スカートは、前記封止剤を送達するため、前記基板と前記ドーム形キャップの間を封止するように、前記封止剤モールドの外側リムが前記基板上に着座した後に、前記内側キャップに対して移動可能であり、
前記封止剤モールドは、前記封止剤の硬化後に該封止剤から分離可能である、
ことを特徴とする封止剤モールド固定具。
【請求項８】
基板とドーム形キャップの間の付着界面を封止するための封止剤モールド固定具であって、
前記付着界面に外接するサイズ及び形状を有する外側リムで終端する下向きに角度が付いた張り出し部分に下端部で結合された外側スカートを有するとともに、該外側スカートによって保持される、前記ドーム形キャップの滑り嵌合受け入れに対応するサイズ及び形状を有する内側キャップをさらに含む封止剤モールドと、
前記内側キャップと前記外側スカートの間の空間を部分的に満たす未硬化形態の一定量の硬化性封止剤と、
を含み、
前記封止剤モールドの外側リムは、前記基板上の前記付着界面に外接する位置に実質的に着座可能であり、
前記内側キャップは、前記外側スカートと協働して該内側キャップと該外側スカートの間に前記一定量の前記封止剤を受け入れるためのチャンバを定め、該チャンバは、内部に複数の通路を形成された壁により定められる下端部と、前記封止剤が前記チャンバ内に受け入れられた後に前記チャンバの上端部内に受け入れられるプランジャとを有し、該プランジャは、前記封止剤を送達するため、前記基板と前記ドーム形キャップの間を封止するように、前記封止剤モールドの外側リムが前記基板上に着座した後に、前記基板に向かって移動可能であり、
前記封止剤モールドは、前記封止剤の硬化後に該封止剤から分離可能である、
ことを特徴とする封止剤モールド固定具。
【請求項９】
基板とドーム形キャップの間を封止する方法であって、
前記付着界面に外接するサイズ及び形状を有する外側リムで終端する下向きに角度が付いた張り出し部分に下端部で結合された外側スカートを有するとともに、該外側スカートによって保持される、前記ドーム形キャップの滑り嵌合受け入れに対応するサイズ及び形状を有する内側キャップをさらに含む封止剤モールドを形成するステップと、
前記封止剤モールドの外側スカートと前記封止剤モールドの内側キャップとの間の空間を未硬化形態の硬化性封止剤で部分的に満たすステップと、
前記封止剤モールドの外側リムを、前記基板上の前記付着界面に外接する位置に着座させることにより、前記基板と前記ドーム形キャップの間を封止するように前記封止剤を塗布するステップと、
前記封止剤の硬化後に、該封止剤から前記封止剤モールドを分離するステップと、
を含むことを特徴とする方法。
【請求項１０】
前記形成するステップは、前記硬化した封止剤への恒久的な付着を避けるように、前記封止剤モールドをプラスチックベースの材料で形成するステップを含む、
ことを特徴とする請求項９に記載の方法。
【請求項１１】
前記形成するステップは、前記封止剤モールドの外側スカートを前記内側キャップに対して摺動自在に移動可能なように形成するステップを含むとともに、前記封止剤モールドの外側リムが前記基板上に着座した後に、前記基板と前記ドーム形キャップの間を封止すべく前記封止剤を送達するように、前記封止剤モールドの外側スカートを前記内側キャップ上で前記基板の方向に摺動自在に移動させるステップをさらに含む、
ことを特徴とする請求項９に記載の方法。
【請求項１２】
前記形成するステップは、前記内側キャップを、前記外側スカートと協働して該内側キャップと該外側スカートの間に前記一定量の前記封止剤を受け入れるためのチャンバを定めるように形成するステップを含み、該チャンバは、内部に複数の通路を形成された壁により定められる下端部と、前記封止剤が前記チャンバ内に受け入れられた後に前記チャンバの上端部内に受け入れられるプランジャとを有し、前記形成するステップは、前記封止剤モールドの外側リムが前記基板上に着座した後に、前記基板と前記ドーム形キャップの間を封止すべく前記封止剤を送達するように、前記プランジャを前記基板に向けて移動させるステップをさらに含む、
ことを特徴とする請求項９に記載の方法。
【請求項１３】
前記封止剤の硬化後に該封止剤から前記封止剤モールドを分離するステップは、持ち上げ分離を含む、
ことを特徴とする請求項９に記載の方法。
【請求項１４】
前記形成するステップは、内部に比較的小さな開いたポートが形成された前記封止剤モールドの内側キャップを形成するステップをさらに含み、前記分離するステップは、前記封止剤の硬化後に該封止剤から前記封止剤モールドを持ち上げ分離するための圧縮ガス手段を前記内側キャップのポートに結合するステップをさらに含む、
ことを特徴とする請求項１３に記載の方法。